(57)【特許請求の範囲】
【請求項１】
スラブを圧下するプレス装置で用いられ、金型と架台を有する金型ユニットであって、金型と架台はボルトで締結されているとともに、金型側と架台側の両方にあり溝が設けられていて、金型側のあり溝と架台側のあり溝に跨って挿入される落下防止キーで連結されており、連結面近傍のあり溝の形状は連結面を挟んで対称になっていることを特徴とするスラブ圧下プレス装置の金型ユニット。
【請求項２】
前記プレス装置はスラブを水平方向に圧下する幅圧下プレス装置であり、落下防止キーの上端には抜け落ち防止用の鍔部が設けられていることを特徴とする請求項１に記載のスラブ圧下プレス装置の金型ユニット。
【発明の詳細な説明】
【技術分野】
【０００１】
本発明は、熱間圧延ラインに設置される幅圧下プレス装置等のスラブを圧下するプレス装置で用いられる金型ユニットに関するものである。
【背景技術】
【０００２】
熱間圧延ラインにおいては、ライン上に、幅圧下プレス装置あるいは厚み圧下プレス装置を設置し、その幅圧下プレス装置等によって材料（スラブ）を所定の寸法に成形した後、粗圧延および仕上圧延を行うようにしている場合がある（例えば、特許文献１参照。）。
【０００３】
一例として、図４は、幅圧下プレス装置によってスラブを幅方向に圧下している状態を示す平面図である。図４中、１はハウジング、２は金型ユニット、３は金型ホルダー、４は圧下シリンダ、５はフィードローラ、６はテーブルローラであり、フィードローラ５でスラブ１０を進行させながら、圧下シリンダ４の作動によって金型ユニット２をスラブ１０の幅方向に往復移動させて、順次スラブ１０の幅圧下が行われる。
【０００４】
そして、金型ユニット２は、スラブ１０を成形する際にスラブ１０に直接接する金型２１と、金型２１を金型ホルダー３に固定するための架台２２とからなっており、図３は、そのような金型ユニット２の細部を示す斜視図である。金型ユニット２にはキー穴２６とボルト孔２４が設けられており、キー穴２６にキー２５を嵌め込み、ボルト孔２４にボルト２３を捩じ込むことで金型２１と架台２２の間を固定している（例えば、特許文献２参照。）。ここで、キー２５とキー穴２６は金型２１と架台２２の位置合わせと接合面内でのズレ防止のためのものであり、金型２１と架台２２の直接の締結はボルト２３によってなされている。
【０００５】
なお、金型ユニット２を上記のように構成しているのは、金型２１が消耗品であることから適宜取り替える必要があり、その取り替えを容易に行うことができるようにしているためである。
【特許文献１】特開平６−１５４８１０号公報
【特許文献２】特開２０００−３４３１７４号公報
【発明の開示】
【発明が解決しようとする課題】
【０００６】
しかし、前述のような金型ユニット２を用いた場合、幅圧下等を行っている最中に、金型２１が架台２２から外れて落下する事故が発生することがある。これは、ボルト２３に作用する締め付け応力に対して、ネジ山が切り欠きとなり強度不足になって破断したためと考えられる。
【０００７】
このような金型２１の落下事故が発生すると、設備の損傷やラインの停止を招くことになり、大きな損害を被ることになる。そこで、この落下事故を未然に防止するために、ボルト２３の亀裂点検や交換を頻繁に行うことになるが、余分な労力やライン休止が必要となり、生産性を阻害することになる。
【０００８】
本発明は、上記のような事情に鑑みてなされたものであり、幅圧下プレス装置等で用いられる金型ユニットとして、金型が架台から落下することを的確に防止することができる構造の金型ユニットを提供することを目的とするものである。
【課題を解決するための手段】
【０００９】
上記の課題を解決するために、本発明は以下の特徴を有する。
【００１０】
［１］スラブを圧下するプレス装置で用いられ、金型と架台を有する金型ユニットであって、金型と架台はボルトで締結されているとともに、金型側と架台側の両方にあり溝が設けられていて、金型側のあり溝と架台側のあり溝に跨って挿入される落下防止キーで連結されており、連結面近傍のあり溝の形状は連結面を挟んで対称になっていることを特徴とするスラブ圧下プレス装置の金型ユニット。
［２］前記プレス装置はスラブを水平方向に圧下する幅圧下プレス装置であり、落下防止キーの上端には抜け落ち防止用の鍔部が設けられていることを特徴とする前記［１］に記載のスラブ圧下プレス装置の金型ユニット。
【発明の効果】
【００１１】
本発明においては、金型と架台をボルトでの締結以外に、あり溝と落下防止キーで連結するようにしており、あり溝と落下防止キーにはボルトのようなねじ山がなく、応力負荷部の面積がボルトより大きく、許容応力も大きことから、破断の危険性が非常に低い。したがって、ボルトが破断した場合でも、あり溝と落下防止キーの連結によって、金型が架台から落下することを的確に防止することができる。その結果、設備の損傷を防ぐことができるとともに、ボルトの亀裂点検や交換を頻繁に行う必要がなくなり、生産性を向上させることが可能となる。
【発明を実施するための最良の形態】
【００１２】
本発明の一実施形態を図面に基づいて説明する。
【００１３】
図１は、本発明の一実施形態に係る金型ユニットを示す斜視図である。この実施形態に係る金型ユニット２０は、図３に示した金型ユニット２と同様に、スラブを成形する際にスラブに直接接する金型２１と、金型２１を金型ホルダー３に固定するための架台２２とからなっており、金型２１と架台２２にはキー穴２６とボルト孔２４が設けられており、キー穴２６にキー２５を嵌め込み、ボルト孔２４にボルト２３を捩じ込むことで金型２１と架台２２の間を固定するようになっている。
【００１４】
そして、この実施形態に係る金型ユニット２０は、上記以外に、金型２１側にあり溝２８ａ、架台２２側にあり溝２８ｂが設けられており、あり溝２８ａとあり溝２８ｂに落下防止キー２７を挿入することによって、金型２１と架台２２を連結するようになっている。なお、図示していないが、落下防止キー２７の上端には、あり溝２８ａ、２８ｂから抜け落ちないように鍔部が設けられている。
【００１５】
上記のような構成とすることで、金型２１と架台２２の位置合わせと接合面内でのズレ防止がキー２５とキー穴２６によってなされるとともに、金型２１と架台２２の締結はボルト２３によってなされ、さらに、あり溝２８ａ、２８ｂと落下防止キー２７によって金型２１と架台２２の連結がなされる。
【００１６】
その際、あり溝２８ａ、２８ｂと落下防止キー２７にはボルト２３のようなねじ山がないので締め付け応力が作用しないことから破断の危険性が非常に低い。したがって、ボルト２３が破断した場合でも、あり溝２８ａ、２８ｂと落下防止キー２７の連結によって、金型２１が架台２２から落下することを的確に防止することができる。その結果、ボルト２３の亀裂点検や交換を頻繁に行う必要がなくなり、生産性を向上させることが可能となる。
【００１７】
なお、あり溝２８ａ、２８ｂと落下防止キー２７は、金型２１が架台２２から落下することを防止すればよいので、締結力を有する必要はないが、締結力を持たせて、ボルト２３による締結力を補強するようにしてもよい。
【００１８】
また、あり溝２８ａ、２８ｂや落下防止キー２７の形状は、金型２１と架台２２を連結することができればよく、図１に示したものに限定されない。例えば、あり溝２８ａ、２８ｂの形状として、図２に示したものを用いることができる。ただし、金型２１と架台２２の接合面の摩耗や手入れをした結果、金型２のあり溝２８ａと架台２２のあり溝２８ｂが不連続になって、落下防止キー２７が挿入できなくなることがないように、接合面近傍の形状は接合面を挟んで対称となっているものが好ましい。すなわち、例えば、図１、図２（ａ）、（ｂ）に示した形状である。
【００１９】
さらに、ここでは、あり溝と落下防止キーを２個設けているが、１個でもよく、設置する個数は適宜定めればよい。
【図面の簡単な説明】
【００２０】
【図１】本発明の一実施形態に係る金型ユニットの斜視図である。
【図２】本発明の一実施形態における他の金型ユニットの説明図である。
【図３】従来の金型ユニットの斜視図である。
【図４】幅圧下プレス装置によってスラブを幅圧下している状態を示す平面図である。
【符号の説明】
【００２１】
１  ハウジング
２  金型ユニット
３  金型ホルダー
４  圧下シリンダ
５  フィードローラ
６  テーブルローラ
１０  スラブ
２０  金型ユニット
２１  金型
２２  架台
２３  ボルト
２４  ボルト孔
２５  キー
２６  キー穴
２７  落下防止キー
２８ａ、２８ｂ  あり溝
【図１】
0004807037.tif 000002
【図２】
0004807037.tif 000003
【図３】
0004807037.tif 000004
【図４】
0004807037.tif 000005